(57)【要約】【課題】  従来の太陽光パネルの架台では傾斜面に設置するようには考えられていない。よって、これらを用いて傾斜地での使用はできない。また、当然ながら傾斜地に保護とはまったく関係ない。【解決手段】  実質的に平行である少なくとも２本の縦材と、該縦材同士を連結する少なくとも１本の横材とから成る基材、及び該横材に設けられた貫通孔に挿通されるグラウト式アンカーバーとから構成されたもの。【選択図】  図１
2015201998.tif 000002
【特許請求の範囲】
【請求項１】
実質的に平行である少なくとも２本の縦材と、該縦材同士を連結する少なくとも１本の横材とから成る基材、及び該横材に設けられた貫通孔に挿通されるグラウト式アンカーバーとから構成されることを特徴とする太陽光パネルの設置架台。
【請求項２】
該横材は、２本以上用いるものである請求項１記載の太陽光パネルの設置架台。
【請求項３】
該横材は、４本以上用いるものである請求項１記載の太陽光パネルの設置架台。
【請求項４】
該横材の底面は、該縦材の底面より上方に位置するものである請求項１〜３のいずれか１項に記載の太陽光パネルの設置架台。
【請求項５】
該縦材は、回動可能に接続された構造である請求項１〜４のいずれか１項に記載の太陽光パネルの設置架台。
【請求項６】
実質的に平行である少なくとも２本の縦材と、該縦材同士を連結する少なくとも１本の横材とから成る基材、及び該横材に設けられた貫通孔に挿通されるグラウト式アンカーバーとから構成される太陽光パネルの設置架台を、傾斜地に該グラウト式アンカーバーによって固定し、該設置架台に太陽光パネルを固定することを特徴とする太陽光パネルの設置方法。
【請求項７】
実質的に平行である少なくとも２本の縦材と、該縦材同士を連結する少なくとも１本の横材とから成る基材、及び該横材に設けられた貫通孔に挿通されるグラウト式アンカーバーとから構成される太陽光パネルの設置架台に太陽光パネルを固定した後、その架台を傾斜地に該グラウト式アンカーバーによって固定することを特徴とする太陽光パネルの設置方法。
【請求項８】
該太陽光パネルの架台への固定は、該縦材に行われるものである請求項６又は７記載の太陽光パネルの設置方法。
【請求項９】
該設置架台の横材の数以上の太陽光パネルを固定するものである請求項７又は８記載の太陽光パネルの設置方法。
【発明の詳細な説明】
【技術分野】
【０００１】
本発明は、太陽光パネルの設置架台及び太陽光パネルの設置方法に関するものである。
【背景技術】
【０００２】
近年、原子力発電の事故以来、電力不足が叫ばれ、安全な発電装置が要求されてきている。このため、太陽光発電がより脚光を浴びてきている。この太陽光発電のための太陽光パネル（ソーラーパネル）は、太陽の照射方向に向けて設置するだけでよく、簡単に実施することができる。
【０００３】
実際に、建築物の屋根の上等に設けているところが増えてきている。この場合、日本では南向きの屋根に設けるか、パネルを南に向けて傾斜させて設けている。
【０００４】
また、これとは別に傾斜地（法面）は、崩れるおそれがあるため、一般的には保護処置を施す必要がある。例えば、表面にコンクリート枠を並べてその荷重で保護する、植生してその力で保護する等である。
【０００５】
現状では、ソーラーパネルは、特許文献１のような架台に設置されているものである。これらは、角度が調整できるよう構成されており、下方にしっかりとした多数の脚が設けられている。
【先行技術文献】
【特許文献】
【０００６】
【特許文献１】特開２００５−０６４１４７号公報
【発明の概要】
【発明が解決しようとする課題】
【０００７】
しかしながら、特許文献１の架台では傾斜面に設置するようには考えられていない。よって、これらを傾斜地で使用することは難しい。また、当然ながら傾斜地の保護とはまったく関係ない。
【０００８】
日本には、多くの斜面が存在するが、うまく土地活用出来ていないのが現状である。そこで、本発明は人工的に傾斜（１０°〜３０°程度）をつけることが多い太陽光発電システムを斜面へ設置する事により、その優位性が最大限に発揮されることを考えたものである。また、本発明は可能な限り安価に大量設置する事も目的としている。
【課題を解決するための手段】
【０００９】
以上のような現状に鑑み、本発明者等は鋭意研究の結果、本発明太陽光パネルの設置架台を完成したものであり、その特徴とするところは、設置架台にあっては、実質的に平行である少なくとも２本の縦材と、該縦材同士を連結する少なくとも１本の横材とから成る基材、及び該横材に設けられた貫通孔に挿通されるグラウト式アンカーバーとから構成される点にあり、設置方法にあっては、実質的に平行である少なくとも２本の縦材と、該縦材同士を連結する少なくとも１本の横材とから成る基材、及び該横材に設けられた貫通孔に挿通されるグラウト式アンカーバーとから構成される太陽光パネルの設置架台を、傾斜地に該グラウト式アンカーバーによって固定し、該設置架台に太陽光パネルを固定する点、又は実質的に平行である少なくとも２本の縦材と、該縦材同士を連結する少なくとも１本の横材とから成る基材、及び該横材に設けられた貫通孔に挿通されるグラウト式アンカーバーとから構成される太陽光パネルの設置架台に太陽光パネルを固定した後、その架台を傾斜地に該グラウト式アンカーバーによって固定する点にある。
【００１０】
太陽光パネルとは、太陽電池が多数並べて接続されパネル状にしたもので、本発明においては市販されているものでよい。大きさは、種々のものがあるが、５０〜２００ｃｍ×５０〜２００ｃｍ×１〜１０ｃｍ程度のものが普通である。
【００１１】
本発明設置架台は、基本的には基材とグラウト式アンカーバーから成るものである。即ち、少なくとも２本の縦材と、該縦材同士を連結する少なくとも１本の横材とから成る基材と少なくとも１本のグラウト式アンカーバーから構成される。
【００１２】
ここで、グラウト式アンカーバーとは、グラウト式アンカー工法に用いるアンカーバーをいう。ここで、グラウト式アンカー工法とは、斜面に穴を穿ち、そこに強度のある棒体（パイプやその他空洞体でもよい）を入れ、グラウト（セメントミルク、セメントモルタル、樹脂モルタル等の固化材）を充填し固化させ、棒体を固定する工法をいう。先にグラウトを充填して後に棒体を入れてもよい。この棒体に、又は棒体によって種々のものを固定するのである。この棒体がグラウト式アンカーバーである。構造的には、直線状の棒でも、先端又は両端が曲がっているものでもよい。岩や石に先端を打ち込むタイプでもよい。
【００１３】
ここで、縦材とは、傾斜面に設置するとき、上下方向に位置する部材であり、横材とは水平方向に位置する部材である。勿論、傾斜地によっては、上下や水平といってもある程度は傾くこともある。
縦材は、少なくとも２本必要であり、それ以上あってもよい。縦材同士は実質的に平行である。ここで実質的に平行とは、平行からプラスマイナス１０度は傾いていてもよいという意味である。この１０度は、発明者が種々実験して見出した数値である。パネルが容易に固定できるかどうか、最も開いた部分ではどうか等である。しかし、５度以内、さらには３度以内に収めるのがよい。
【００１４】
縦材や横材は、木製のものも可能であるが、金属製のものが好ましいことは言うまでもない。鋼材、ステンレス、アルミその他、構造材として使用できるものであればよい。形状的にはアングル、チャンネル、その他自由である。縦材の長さは、特に限定はしないが、少なくとも太陽光パネル１つの辺以上の長は必要である。
【００１５】
縦材の長さは自由であるが、縦材の長さ方向に太陽光パネルを複数枚、好ましくは３枚以上設けるため、それ以上の長さが好適である。例えば、横１．５ｍ、縦１ｍのパネルを縦に２つ並べる場合には、縦材の長さは３ｍ以上が好ましい。縦材の本数は、少なくとも２本であるが、補強のためより多くてもよい。
【００１６】
縦材は、１部材で構成してもよいが、複数の部材にして回動自在（可回転）に接続してもよい。回動自在に接続するとは蝶番で接続する、ボルトとナットで接続する、両部材に貫通孔を開けて抜けないように棒を通して連結する等通常の方法で接続すればよい。このようにすれば、傾斜面が一様ではなく途中で傾斜角度が変化している場合には、この回動自在部から角度が変化してより斜面に沿うようになる。
【００１７】
横材は、上記した縦材同士を連結してその距離を規制する。この横材は少なくとも１本あればよい。しかし、横材は、複数本設けるのが好ましい。例えば、２本〜８本、より好ましくは、３〜６本である。
また、この横材には、グラウト式アンカーバーが固定される貫通孔を設けている。直接、横材に孔を開けてもよいが、横材に固着した部材に貫通孔を設けてもよい。この貫通孔は、横材の少なくとも１本に設ければよく、その数は自由である。しかし、上下の２ヶ所に設けるのが最も効果的である。
【００１８】
この横材は、縦材より底面が上方にあるものが好適である。即ち、水平で平らな場所に、基材を置いたときに縦材の底面のみが接地して横材は地面に接していないものである。このようにすると、傾斜面に小さな起伏がある場合に、設置しやすくなる。
【００１９】
上記した横材の貫通孔を用いて、グラウト式アンカー工法によって傾斜面に固定する。例えば、貫通孔の下方に穴を形成し、その穴にグラウト式アンカーバーを挿入し、周囲（穴内）にグラウトを充填し硬化させるものである。この穴は斜面に直角に形成するのがよいが、垂直（水平面に対して直角）でも、その他の角度でもよい。
【００２０】
横材に設けた貫通孔に上記グラウト式アンカー工法を適用するのであるが、横材が複数存在し、且つその２本目以降の横材に設けられた貫通孔にも適用してもよい。このようにすれば強固であることはいうまでもない。そのような貫通孔に、なにもしなくてもよいが、その孔を利用してアンカーボルトのような地面に打ち込んで固定する部材を、斜面に打ち込んで固定してもよい。
しかし、１本の横材にのみグラウト式アンカー工法を施し固定できれば大きな手間の軽減になる。
【００２１】
次に本発明の設置方法について説明する。
基本的には、上記した架台を傾斜面に設置し、その後その架台に太陽光パネルを取り付ければよい。この時、グラウト式アンカー工法を一番上の横材のみにする方法、又はその他の横材にはアンカーボルトだけ施工する方法等が考えられる。
【００２２】
また、太陽光パネルは、横材に固定しても、縦材に固定してもよい。特に横材が少ない例では、縦材にパネルを固定することによって、パネル自体が横材の代わりなることも考えられる。即ち、縦材同士の距離を規定（規制）したり、がたつくことを防止する等である。
また、設置架台に先に太陽光パネルを固定しておき、それを現場で傾斜面に設置してもよい。
【００２３】
架台に太陽光パネルを固定する方法は自由であり、通常の固定方法でよい。ボルトとナット方式、その他クランプ式等どのようなものでもよい。また、傾斜面の角度によっては、太陽光に直角にパネルを向けるように、角度を調整できるように固定してもよい。
【発明の効果】
【００２４】
以上詳述した本発明には次のような効果がある。
（１）  本発明架台を用いると、傾斜面に太陽光パネルを簡単に設置することができる。
（２）  架台自体が安価で、大規模発電にも対応可能である。
（３）  複数のパネルも簡単に設置できる。
（４）  これを設置することによって、雨による傾斜面の浸食を抑制できる。また、杭効果による地滑り抑止効果が期待できる。
【図面の簡単な説明】
【００２５】
【図１】本発明の設置架台の１例を示す平面図である。
【図２】本発明の設置架台にパネルを載置して状態を示す平面図である。
【図３】本発明の設置架台の他の例を示す平面図である。
【図４】本発明の設置架台の他の例を示す平面図である。
【図５】本発明の設置架台の使用状態を示す断面図である。
【図６】本発明の設置架台の一部を示す断面図である。
【発明を実施するための形態】
【００２６】
以下図面に示す実施例に従って、本発明をより詳細に説明する。
図１は、本発明の設置架台１の１例を示す平面図である。縦材２が２本と、最も上方に横材３が２本、下方にも１本設けられている。上方の２本にまたがってアンカー板４が設けられ、そのアンカー板４に貫通孔５が設けられている。この例では、縦材２と横材２、アンカー板４はステンレス製である。サイズは、太陽光パネルが３〜４枚設置できる大きさである。
【００２７】
図２は、図１の設置架台１に太陽光パネル６を３枚設置したところを示す平面図である。最上部の貫通孔５は見えている。この方があとのグラウト注入等が容易である。図３は、貫通孔が上下に設けられた例である。図４は、横材３を多数設けた例である。このように長くして、太陽光パネルを多数（４〜８枚）設置できるようにしてもよい。
【００２８】
図５は、本発明架台１に太陽光パネル６を固定したものを傾斜面７に設置したところを示す断面図である。まず、上部の貫通孔の下方には深い穴８が設けられている。貫通孔からグラウト式アンカーバー９を穴８に挿入してセメントミルクが注入されて（どちらが先でもよい）固化している。
また、下方の貫通孔にもアンカー１０を通過し斜面に打ち込んでいる。こちらはグラウト注入せず、単に打ち込んでいるだけである。
【００２９】
この図からわかるように、斜面に凹凸があっても、十分対応できるものである。また、グラウト注入して固定しているため、傾斜面の保護にも寄与するものである。
【００３０】
図６は、グラウト式アンカーバー９の１例を示す。この例では、アンカー板４の下方に空隙ができるため、それを埋めるためスペーサー１１を挿入している。このスペーサー１１は、アンカー板４と同じような貫通孔があるか、筒状のものかが便利である。そして、グラウト式アンカーバー９は、上部がネジになっており、太陽光パネル６一緒に固定できるようになっている。この例では、最初から穴８にグラウトを充填し、そこにグラウト式アンカーバー９を挿入して全体を固定する。勿論、アンカー板４と太陽光パネルは別途固定してもよい。
【符号の説明】
【００３１】
１  設置架台
２  縦材
３  横材
４  アンカー板
５  貫通孔
６  太陽光パネル
７  傾斜面
８  穴
９  グラウト式アンカーバー
１０  アンカー
１１  スペーサー
【図１】
2015201998.tif 000003
【図２】
2015201998.tif 000004
【図３】
2015201998.tif 000005
【図４】
2015201998.tif 000006
【図５】
2015201998.tif 000007
【図６】
2015201998.tif 000008